(57)【要約】      （修正有）【課題】地図情報提供システムに関し、現地に到着してからコンビニエンスストアーで地図を取得することができるばかりでなく、現地で撮影した写真等の画像情報をサーバー上の地図に貼り付けてアルバムとして保存することができる。【解決手段】地図情報提供システム１０には、マップサーバー３１、個人用情報機器４０、コンビニエンスストアー５０内に配置され、個人用情報機器４０により取得した地図用識別番号を入力することで、当該地図用識別番号に対応する地図情報にもとづいて地図を印刷可能な情報端末機器５１を備える。マップサーバー３１には、個人識別情報登録手段、表示情報送信手段、画像情報記憶手段、画像情報記憶手段により記憶された座標情報にもとづいて、地図情報の所定位置に画像情報を重ねて表示させるための画像合成手段を備える。【選択図】図１
2010128678.tif 000002
【特許請求の範囲】
【請求項１】
インターネットに接続され、固有の地図用識別番号を有する地図情報を複数記憶したマップサーバーと、
前記インターネットを介して前記マップサーバーにアクセスし、前記複数の地図情報のうちから一以上の地図情報を選択し、当該選択した地図情報及び当該地図情報に対応する前記地図用識別番号を取得し、取得した地図情報及び前記地図用識別番号を記憶、並びに前記地図情報及び前記地図用識別番号のうち、少なくとも前記地図用識別番号を表示可能な個人用情報機器と、
コンビニエンスストアー内に配置され、前記個人用情報機器により取得した前記地図用識別番号を入力することで、当該地図用識別番号に対応する地図情報にもとづいて地図を印刷可能な情報端末機器とを備え、
前記マップサーバーには、
前記個人用情報機器の使用者の個人識別情報を登録可能な個人識別情報登録手段と、
前記個人識別情報登録手段により登録された前記個人識別情報の入力を条件に、前記個人用情報機器により既に取得した前記地図用識別番号が入力された場合に、入力された前記地図用識別番号に対応する前記地図情報の表示情報を送信するための表示情報送信手段と、
前記表示情報送信手段により送信された前記表示情報により表示された地図上の所定位置が指定され、当該所定位置の座標情報、及び当該所定位置に貼り付ける画像情報を受信した場合に、前記座標情報及び前記画像情報を前記個人識別情報に関連付けて記憶可能な画像情報記憶手段と、
前記画像情報記憶手段により記憶された前記座標情報にもとづいて、前記地図情報の前記所定位置に前記画像情報を重ねて表示させるための画像合成手段とを備えていることを特徴とする地図情報提供システム。
【請求項２】
請求項１に記載の地図情報提供システムであって、
前記地図には、
画像情報を表示可能な地図表示領域と、
文字情報を表示可能な文字表示領域とを有し、
前記マップサーバーには、
前記個人用情報機器を通じて入力された文字情報を受信した場合に、当該文字情報を前記個人識別情報に関連付けて記憶可能な個人情報記憶手段と、
前記個人用情報機器又は前記情報端末機器において入力された前記個人識別情報を受信した場合に、当該個人識別情報にもとづいて前記個人情報記憶手段を検索し、前記個人識別情報に対応する前記文字情報を送信するための個人情報送信手段とを備え、
前記情報端末機器は、
前記地図用識別番号に加えて、前記個人識別情報が入力された場合に、当該個人識別情報を前記マップサーバーに送信し、前記個人情報送信手段から前記文字情報を受信した場合に、当該文字情報を前記文字表示領域に印刷するようにしていることを特徴とする地図情報提供システム。
【請求項３】
インターネットに接続され、固有の地図用識別番号を有する地図情報を複数記憶したマップサーバーと、
前記地図用識別番号をバーコード化したコード情報を印刷した紙媒体と、
前記紙媒体の前記コード情報を撮影することで、当該コード情報に含まれる前記地図用識別番号を取得可能な個人用情報機器と、
コンビニエンスストアー内に配置され、前記個人用情報機器に取得した前記地図用識別番号を入力することで、当該地図用識別番号に対応する地図情報を印刷可能な情報端末機器とを備え、
前記マップサーバーには、
前記個人用情報機器の使用者の個人識別情報を登録可能な個人識別情報登録手段と、
前記個人識別情報登録手段により登録された前記個人識別情報の入力を条件に、前記個人用情報機器により既に取得した地図用識別番号が入力された場合に、入力された地図用識別番号に対応する地図情報の表示情報を送信するための表示情報送信手段と、
前記表示情報送信手段により送信された表示情報により表示された地図上の所定位置が指定され、当該所定位置の座標情報、及び当該所定位置に貼り付ける画像情報を受信した場合に、前記座標情報及び前記画像情報を前記個人識別情報に関連付けて記憶可能な画像情報記憶手段と、
前記画像情報記憶手段により記憶された前記座標情報にもとづいて、前記地図情報の前記所定位置に前記画像情報を重ねて表示させるための画像合成手段とを備えていることを特徴とする地図情報提供システム。
【請求項４】
請求項１〜３のいずれか１項に記載の地図情報提供システムであって、
前記地図情報提供システムには、
前記コンビニエンスストアーのコンビニデータセンター内に設置され、
当該コンビニエンスストアー内に配置された前記情報端末機器と電気通信網で接続されるとともに、前記マップサーバーに記憶された固有の地図用識別番号を有する地図情報が複数記憶された地図情報蓄積サーバーを備えていることを特徴とする地図情報提供システム。
【発明の詳細な説明】
【技術分野】
【０００１】
この発明は、地図情報提供システムに関し、現地に到着してからコンビニエンスストアーで地図を取得することができるばかりでなく、現地で撮影した写真等の画像情報をサーバー上の地図に貼り付けてアルバムとして保存することができるようにしたものである。
【背景技術】
【０００２】
従来、デジタルカメラで撮影した写真や説明文等を、観光マップ等のアルバム台紙の任意の位置に貼り付けることで、電子アルバムを作成可能な支援システムが知られている（例えば特許文献１の段落番号「００２３」〜「００２５」、図３参照）。
【特許文献１】特開2001-167115号公報（段落番号「００２３」〜「００２５」、図３）
【発明の開示】
【発明が解決しようとする課題】
【０００３】
しかし、上記した従来の電子アルバムは、旅行後に観光マップ等のアルバム台紙を選択し、旅行中に撮影した写真を貼り付けているに過ぎないという問題点があった。
このため、旅行後に選択した観光マップ等に写真を貼り付けるので、写真の貼付位置を特定するのが困難であったり、時間が掛かってしまうことがある。
また、旅行後に観光マップ等を選択するので、電子アルバムの作成後に、観光マップを見ても思い出に乏しいものになってしまうことがある。
【０００４】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、現地に到着してからコンビニエンスストアーで地図を取得することができるばかりでなく、現地で撮影した写真等の画像情報をサーバー上の地図に貼り付けてアルバムとして保存することができるようにしたものである。
【０００５】
このため、請求項１に記載の発明によれば、旅行の計画段階で、地図情報を選択して取得できるので、地図情報を利用して旅行計画を立てることができる。
また、旅先のコンビニエンスストアーで、地図を容易に印刷できるので、旅行に行く際に地図を持参する必要がない。
さらに、旅行後、旅行中に撮影した写真等の画像情報を貼り付ける際にも、地図を旅行の計画段階並びに旅行中に実際に使用していたので、写真等の画像情報の貼付位置を容易に且つ短時間に特定することができる。
【０００６】
また、写真等の画像情報を貼り付けた地図自体を見ることでも、地図を旅行の計画段階並びに旅行中に実際に使用していたので、旅行の計画段階の記憶や、旅行中の記憶を容易に呼び覚ますことができる。
（請求項２）
請求項２に記載の発明は、上記した請求項１に記載の発明の目的に加え、次の点を目的とする。
【０００７】
すなわち、請求項２に記載の発明は、旅行の計画段階でメモを残せ、しかもメモの付いた地図を現地で取得することができるようにしたものである。
（請求項３）
請求項３に記載の発明は、次の点を目的とする。
すなわち、請求項３に記載の発明は、旅行用のポスターやパンフレット等の紙媒体に印刷されたコード情報を、デジタルカメラ付き携帯電話等の個人用情報機器を通じて取得し、しかも当該取得したコード情報に対応する地図を、コンビニエンスストアーで印刷することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、コンビニエンスストアーで地図を印刷する際に、インターネットを通じてマップサーバーにリアルタイムでアクセスすること無しに、データセンターから迅速に地図情報を取得して印刷することができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第１に、地図情報提供システム(10)には、例えば図１に示すように、次の構成を備える。
（１）マップサーバー(31)
マップサーバー(31)は、インターネット(20)に接続され、固有の地図用識別番号を有する地図情報を複数記憶したものである。
【００１１】
（２）個人用情報機器(40)
個人用情報機器(40)は、インターネット(20)を介してマップサーバー(31)にアクセスし、複数の地図情報のうちから一以上の地図情報を選択し、当該選択した地図情報及び当該地図情報に対応する地図用識別番号を取得し、取得した地図情報及び地図用識別番号を記憶、並びに地図情報及び地図用識別番号のうち、少なくとも地図用識別番号を表示可能なものである。
【００１２】
（３）情報端末機器(51)
情報端末機器(51)は、コンビニエンスストアー(50)内に配置され、個人用情報機器(40)により取得した地図用識別番号を入力することで、当該地図用識別番号に対応する地図情報にもとづいて地図(200)を印刷可能なものである。
第２に、マップサーバー(31)には、例えば図６に示すように、次の構成を備える。
【００１３】
（４）個人識別情報登録手段(100)
個人識別情報登録手段(100)には、個人用情報機器(40)の使用者の個人識別情報を登録可能なものである。
（５）表示情報送信手段(110)
表示情報送信手段(110)は、個人識別情報登録手段(100)により登録された個人識別情報の入力を条件に、個人用情報機器(40)により既に取得した地図用識別番号が入力された場合に、入力された地図用識別番号に対応する地図情報の表示情報を送信するためのものである。
【００１４】
（６）画像情報記憶手段(120)
画像情報記憶手段(120)は、表示情報送信手段(110)により送信された表示情報により表示された地図上の所定位置が指定され、当該所定位置の座標情報、及び当該所定位置に貼り付ける画像情報を受信した場合に、座標情報及び画像情報を個人識別情報に関連付けて記憶可能なものである。
【００１５】
なお、画像情報としては、例えば図７に示すように、写真(510,511)を例示したが、静止画に限定されず、動画であっても良い。
（７）画像合成手段(130)
画像合成手段(130)は、画像情報記憶手段(120)により記憶された座標情報にもとづいて、地図情報の所定位置に画像情報を重ねて表示させるためのものである。
（請求項２）
請求項２に記載の発明は、上記した請求項１に記載の発明の特徴点に加え、次の点を特徴とする。
【００１６】
第１に、地図(200)には、例えば図３及び図４に示すように、画像情報を表示可能な地図表示領域(110)と、文字情報を表示可能な文字表示領域(120)とを有する。
第２に、マップサーバー(31)には、例えば図２に示すように、次の構成を備える
（１）個人情報記憶手段(140)
個人情報記憶手段(140)は、個人用情報機器(40)を通じて入力された文字情報を受信した場合に、当該文字情報を個人識別情報に関連付けて記憶可能なものである。
【００１７】
（２）個人情報送信手段(150)
個人情報送信手段(150)は、個人用情報機器(40)又は情報端末機器(51)において入力された個人識別情報を受信した場合に、当該個人識別情報にもとづいて個人情報記憶手段(140)を検索し、個人識別情報に対応する文字情報を送信するためのものである。
第３に、情報端末機器(51)は、地図用識別番号に加えて、当該個人識別情報が入力された場合に、個人識別情報をマップサーバー(31)に送信し、個人情報送信手段(150)から文字情報を受信した場合に、当該文字情報を文字表示領域(120)に印刷するようにしている。
（請求項３）
請求項３に記載の発明は、次の点を特徴とする。
【００１８】
第１に、地図情報提供システム(10)には、例えば図１及び図５に示すように、次の構成を備える。
（１）マップサーバー(31)
マップサーバー(31)は、インターネット(20)に接続され、固有の地図用識別番号を有する地図情報を複数記憶したものである。
【００１９】
（２）紙媒体（例えばポスター(320)やパンフレット(330)）
紙媒体（例えばポスター(320)やパンフレット(330)）は、地図用識別番号をバーコード化したコード情報（例えばバーコード331）を印刷したものである。
上記紙媒体として、ポスター(320)やパンフレット(330)を例示したが、これに限定されない。
【００２０】
（３）個人用情報機器（例えばデジタルカメラ付き携帯電話(311)）
個人用情報機器（例えばデジタルカメラ付き携帯電話(311)）は、紙媒体（例えばポスター(320)やパンフレット(330)）のコード情報（例えばバーコード331）を撮影することで、当該コード情報（例えばバーコード331）に含まれる地図用識別番号を取得可能なものである。
【００２１】
なお、上記個人用情報機器として、デジタルカメラ付き携帯電話(311)を例示したが、これに限定されない。
（４）情報端末機器(51)
情報端末機器(51)は、コンビニエンスストアー(50)内に配置され、個人用情報機器(40)に取得した地図用識別番号を入力することで、当該地図用識別番号に対応する地図情報を印刷可能なものである。
【００２２】
第２に、マップサーバー(31)には、例えば図２に示すように、次の構成を備える。
（５）個人識別情報登録手段(100)
個人識別情報登録手段(100)は、個人用情報機器(40)の使用者の個人識別情報を登録可能なものである。
（６）表示情報送信手段(110)
表示情報送信手段(110)は、個人識別情報登録手段(100)により登録された個人識別情報の入力を条件に、個人用情報機器(40)により既に取得した地図用識別番号が入力された場合に、入力された地図用識別番号に対応する地図情報の表示情報を送信するためのものである。
【００２３】
（７）画像情報記憶手段(120)
画像情報記憶手段(120)は、表示情報送信手段(110)により送信された表示情報により表示された地図(200)上の所定位置が指定され、当該所定位置の座標情報、及び当該所定位置に貼り付ける画像情報を受信した場合に、座標情報及び画像情報を個人識別情報に関連付けて記憶可能なものである。
【００２４】
（８）画像合成手段(130)
画像合成手段(130)は、画像情報記憶手段(120)により記憶された座標情報にもとづいて、地図情報の所定位置に画像情報を重ねて表示させるためのものである。
（請求項４）
請求項４に記載の発明は、上記した請求項１〜３のいずれか１項に記載の発明の特徴点に加え、次の点を特徴とする。
【００２５】
すなわち、地図情報提供システム(10)には、例えば図１に示すように、次の構成を備えている。
（１）地図情報蓄積サーバー(61)
地図情報蓄積サーバー(61)は、コンビニエンスストアー(50)のコンビニデータセンター内に設置され、当該コンビニエンスストアー(50)内に配置された情報端末機器(51)と電気通信網で接続されるとともに、マップサーバー(31)に記憶された固有の地図用識別番号を有する地図情報が複数記憶されたものである。
【発明の効果】
【００２６】
本発明は、以上のように構成されているので、以下に記載されるような効果を奏する。
（請求項１）
請求項１に記載の発明によれば、次のような効果を奏する。
すなわち、請求項１に記載の発明によれば、現地に到着してからコンビニエンスストアーで地図を取得することができるばかりでなく、現地で撮影した写真等の画像情報をサーバー上の地図に貼り付けてアルバムとして保存することができる。
【００２７】
このため、請求項１に記載の発明によれば、旅行の計画段階で、地図情報を選択して取得できるので、地図情報を利用して旅行計画を立てることができる。
また、旅先のコンビニエンスストアーで、地図を容易に印刷できるので、旅行に行く際に地図を持参する必要がない。
さらに、旅行後、旅行中に撮影した写真等の画像情報を貼り付ける際にも、地図を旅行の計画段階並びに旅行中に実際に使用していたので、写真等の画像情報の貼付位置を容易に且つ短時間に特定することができる。
【００２８】
また、写真等の画像情報を貼り付けた地図自体を見ることでも、地図を旅行の計画段階並びに旅行中に実際に使用していたので、旅行の計画段階の記憶や、旅行中の記憶を容易に呼び覚ますことができる。
（請求項２）
請求項２に記載の発明によれば、上記した請求項１に記載の発明の効果に加え、次のような効果を奏する。
【００２９】
すなわち、請求項２に記載の発明によれば、旅行の計画段階でメモを残せ、しかもメモの付いた地図を現地で取得することができる。
（請求項３）
請求項３に記載の発明によれば、次のような効果を奏する。
すなわち、請求項３に記載の発明によれば、旅行用のポスターやパンフレット等の紙媒体に印刷されたコード情報を、デジタルカメラ付き携帯電話等の個人用情報機器を通じて取得し、しかも当該取得したコード情報に対応する地図を、コンビニエンスストアーで印刷することができる。
（請求項４）
請求項４に記載の発明によれば、上記した請求項１〜３のいずれか１項に記載の発明の効果に加え、次のような効果を奏する。
【００３０】
すなわち、請求項４に記載の発明によれば、コンビニエンスストアーで地図を印刷する際に、インターネットを通じてマップサーバーにリアルタイムでアクセスすること無しに、データセンターから迅速に地図情報を取得して印刷することができる。
【発明を実施するための最良の形態】
【００３１】
（図面の説明）
図１〜６は、本発明の実施の形態の一例をそれぞれ示すものである。
図１は、地図情報提供システムの概略を説明するための説明図、図２はマップサーバーの構成を説明するための説明図、図３は地図の一例を示す説明図、図４は文字情報等を入力した地図の一例を示す説明図、図５は地図用識別番号の取得方法の一例を説明するための説明図、図６は画像情報の取得方法の一例を説明するための説明図、図７は電子アルバムの一例を示す説明図をそれぞれ示すものである。
（地図情報提供システム10）
図中、10は、地図情報提供システムを示すものである。
【００３２】
地図情報提供システム10は、図１に示すように、インターネット20を中心に構成され、大別すると、次の構成を有する。なお、次の（１）〜（５）の構成については、後述する。
（１）マップデータセンター30
（２）個人用情報機器40
（３）コンビニエンスストアー50
（４）コンビニデータセンター60
（５）観光センター70
なお、地図情報提供システム10の構成は、上記した（１）〜（５）に限定されない。
（マップデータセンター30）
マップデータセンター30は、地図情報提供システム10の中心となる運営組織及び当該組織の所在地を意味するものである。
【００３３】
マップデータセンター30の建物内には、後述するマップサーバー31が設置されている。
なお、マップサーバー31を、マップデータセンター30の建物内に設置したが、これに限定さず、マップデータセンター30の建物外に設定されていても、運営主体がマップデータセンター30であれば良い。
（個人用情報機器40）
個人用情報機器40は、インターネット20を介してマップサーバー31にアクセスし、複数の地図情報のうちから一以上の地図情報を選択し、当該選択した地図情報及び当該地図情報に対応する地図用識別番号を取得し、取得した地図情報及び地図用識別番号を記憶、並びに地図情報及び地図用識別番号のうち、少なくとも地図用識別番号を表示可能なものである。
【００３４】
上記地図用識別番号は、例えば複数桁の英数字から構成しているが、これに限定されない。
また、個人用情報機器40は、紙媒体のコード情報を撮影することで、当該コード情報に含まれる地図用識別番号を取得可能なものである。
上記紙媒体としては、図５に示すように、例えばポスター320やパンフレット330等がある。
【００３５】
なお、紙媒体として、ポスター320やパンフレット330を例示したが、これに限定されず、新聞や雑誌等でも良い。
上記コード情報として、図５に示すように、紙媒体であるポスター320やパンフレット330に、バーコード331を印刷している。
上記バーコード331には、図示しないが、二次元コードを使用しているが、これに限定されず、一次元コードを使用しても良い。
【００３６】
一方、個人用情報機器40としては、図４に示すように、パーソナルコンピュータ300（ＰＣ）、携帯電話310等がある。
携帯電話310には、バーコード331であるコード情報を撮影可能なデジタルカメラ付きの携帯電話311を含むものである。
なお、個人用情報機器40として、パーソナルコンピュータ300（ＰＣ）、携帯電話310、デジタルカメラ付きの携帯電話311を例示したが、これらに限定されない。
（コンビニエンスストアー50）
コンビニエンスストアー50は、主に食料品、日用雑貨など多数の品種を扱う形態の小売店を意味し、略称は「コンビニ」である。
【００３７】
コンビニエンスストアー50の建物内には、図１に示すように、情報端末機器51が設置されている。
情報端末機器51は、個人用情報機器40により取得した地図用識別番号を入力することで、当該地図用識別番号に対応する地図情報にもとづいて地図200（図３及び図４参照）を印刷可能なものである。
【００３８】
また、情報端末機器51は、地図用識別番号に加えて、後述する個人識別情報が入力された場合に、当該個人識別情報をマップサーバー31に送信し、個人情報送信手段150から文字情報を受信した場合に、当該文字情報を文字表示領域120（図４参照）に印刷するようにしている。
具体的には、情報端末機器51として、ネットワーク対応型のコピー機が使用されている。コピー機は、カラー印刷が可能なものが好ましく、これに加えてデジタル写真を印刷可能なものが良い。
【００３９】
なお、情報端末機器51として、コピー機を例示したが、これに限定されず、プリンター等でも良い。
地図用識別番号や個人識別情報の入力方式は、情報端末機器51のテンキー（図示せず）を使用して入力する方式を採用している。
なお、地図用識別番号や個人識別情報の入力方式として、テンキー入力を例示したが、これに限定されず、携帯電話310から無線通信で入力したり、或いは情報端末機器51にバーコードリーダー等を設けておき、携帯電話310のディスプレイ（図示せず）に表示されたバーコードを読み取らせるようにしても良い。
（コンビニデータセンター60）
コンビニデータセンター60は、コンビニエンスストアー50の運営組織及び当該組織の所在地を意味するものである。
【００４０】
コンビニデータセンター60の建物内には、図１に示すように、地図情報蓄積サーバー61が設置されている。
地図情報蓄積サーバー61は、コンビニエンスストアー50内に配置された情報端末機器51と電気通信網で接続されるとともに、マップサーバー31に記憶された固有の地図用識別番号を有する地図情報が複数記憶されたものである。
【００４１】
地図情報蓄積サーバー61は、インターネット20に接続され、インターネット20を介してマップデータセンター30のマップサーバー31に接続され、地図情報等の更新を行っている。
なお、コンビニエンスストアー50の情報端末機器51を、コンビニデータセンター60の地図情報蓄積サーバー61に電気通信網を介して接続したが、インターネット20に直接的に接続しても良い。
（観光センター70）
観光センター70は、主として観光案内を業務とする組織及び当該組織の所在地を意味するものである。
【００４２】
観光センター70の建物内には、図１に示すように、コンビニエンスストアー50の情報端末機器51と同種の情報端末機器71が設置されている。
情報端末機器71は、インターネット20に接続され、インターネット20を介してマップデータセンター30のマップサーバー31に接続される。
（マップサーバー31）
つぎに、マップサーバー31について、図２を用いて説明する。
【００４３】
マップサーバー31は、インターネット20に接続され、固有の地図用識別番号を有する地図情報を複数記憶したものである。
具体的には、マップサーバー31は、ＣＰＵを中心に構成され、ハードディスク内に記録されたプログラムを読み込むことで、次の手段として機能する。
なお、マップサーバー31の手段は、次の（１）〜（６）に限定されない。
【００４４】
（１）個人識別情報登録手段100
個人識別情報登録手段100は、個人用情報機器40の使用者の個人識別情報を登録可能なものである。
上記個人識別情報は、例えば複数桁の英数字から構成しているが、これに限定されない。
【００４５】
（２）表示情報送信手段110
表示情報送信手段110は、個人識別情報登録手段100により登録された個人識別情報の入力を条件に、個人用情報機器40により既に取得した地図用識別番号が入力された場合に、入力された地図用識別番号に対応する地図情報の表示情報を送信するためのものである。
（３）画像情報記憶手段120
画像情報記憶手段120は、表示情報送信手段110により送信された表示情報により表示された地図200上の所定位置が指定され、当該所定位置の座標情報、及び当該所定位置に貼り付ける画像情報を受信した場合に、座標情報及び画像情報を個人識別情報に関連付けて記憶可能なものである。
【００４６】
なお、画像情報としては、後述する図７に示すように、写真510,511を例示したが、静止画に限定されず、動画であっても良い。また、静止画として、写真510,511を例示したが、これに限定されず、文字や絵、イラスト、マンガ等でも良い。
（４）画像合成手段130
画像合成手段130は、画像情報記憶手段120により記憶された座標情報にもとづいて、地図情報の所定位置に画像情報を重ねて表示させるためのものである。
【００４７】
（５）個人情報記憶手段140
個人情報記憶手段140は、個人用情報機器40を通じて入力された個人情報、例えば文字情報を受信した場合に、当該文字情報を個人識別情報に関連付けて記憶可能なものである。
（６）個人情報送信手段150
個人情報送信手段150は、個人用情報機器40又は情報端末機器51において入力された個人識別情報を受信した場合に、当該個人識別情報にもとづいて個人情報記憶手段140を検索し、個人識別情報に対応する個人情報、例えば文字情報を送信するためのものである。
【００４８】
なお、個人情報として、文字情報を例示したが、これに限定されない。
（地図200）
つぎに、地図200について、図３及び図４を用いて説明する。
地図200には、図３及び図４に示すように、次の領域を有する
（１）地図表示領域210
地図表示領域210は、画像情報を表示可能なものである。
【００４９】
地図表示領域210には、図４に示すように、地図200上の所定位置に矢印や数字等の記号230,231を個人用情報機器40を通じて入力できるようにしている。入力された記号230,231は、当該記号情報と、所定位置の座標情報とを個人情報として、個人用情報機器40からインターネット20を介してマップサーバー31に送信される。
記号情報と、所定位置の座標情報とから構成される個人情報は、マップサーバー31の個人情報記憶手段140に記憶され、コンビニエンスストアー50の情報端末機器51から印刷される地図200に反映される。
【００５０】
なお、個人情報として、記号情報及びその座標情報を例示したが、これに限定されず、手書きの文字、絵や線図等を加えても良い。
（２）文字表示領域220
文字表示領域220は、文字情報を表示可能なものである。
文字表示領域220には、図４に示すように、旅行計画やメモ等の文字情報が個人用情報機器40を通じて入力できるようにしている。入力された文字情報は、個人用情報機器40からインターネット20を介してマップサーバー31に送信される。
【００５１】
文字情報は、個人情報の一つとして、マップサーバー31の個人情報記憶手段140に記憶され、コンビニエンスストアー50の情報端末機器51から印刷される地図200に反映される。
（地図用識別番号の取得方法）
つぎに、地図用識別番号の取得方法について、図５を用いて説明する。
【００５２】
地図用識別番号の取得方法には、図５に示すように、大別すると、次の取得方法がある。なお、地図用識別番号の取得方法は、次の（１）〜（３）に限定されない。
（１）パーソナルコンピュータ300（ＰＣ）を用いる取得方法
パーソナルコンピュータ300（ＰＣ）を用いる取得方法は、インターネット20を介してマップサーバー31に接続し、地図用識別番号を取得する方法である。取得した地図用識別番号は、プリントしたり、メモしてコンビニエンスストアー50に持参し、情報端末機器51のテンキー（図示せず）を使用して入力する。
【００５３】
（２）携帯電話310を用いる取得方法
携帯電話310を用いる取得方法は、インターネット20を介してマップサーバー31に接続し、地図用識別番号を取得する方法である。地図用識別番号を取得した携帯電話310をコンビニエンスストアー50に持参し、携帯電話310のディスプレイ（図示せず）に表示させた地図用識別番号を、情報端末機器51のテンキー（図示せず）を使用して入力する。
【００５４】
（３）デジタルカメラ付きの携帯電話311のデジタルカメラ機能を用いる取得方法
デジタルカメラ付きの携帯電話311のデジタル機能を用いる取得方法は、紙媒体であるポスター320やパンフレット330のバーコード331を携帯電話311のデジタルカメラで撮影し、バーコード331に含まれる地図用識別番号を取得する方法である。地図用識別番号を取得した携帯電話311をコンビニエンスストアー50に持参し、携帯電話311のディスプレイ（図示せず）に表示させた地図用識別番号を、情報端末機器51のテンキー（図示せず）を使用して入力する。
（画像情報の取得方法）
つぎに、画像情報の取得方法について、図６を用いて説明する。
【００５５】
画像情報の取得方法は、図６に示すように、大別すると、次の取得方法がある。なお、画像情報の取得方法は、次の（１）〜（２）に限定されない。
（１）デジタルカメラ付きの携帯電話311のデジタルカメラ機能を用いる取得方法
デジタルカメラ付きの携帯電話311のデジタルカメラ機能を用いる取得方法は、旅行先の観光スポットを、携帯電話311のデジタルカメラで撮影し、画像情報を取得する方法である。
【００５６】
なお、携帯電話311で取得する画像情報は、図７に示すように、写真510,511等の静止画に限定されず、動画であっても良い。
取得後、携帯電話311の電話機能を使用し、インターネット20を介してマップサーバー31に接続し、携帯電話311から直接、マップサーバー31に画像情報を送信する。
（２）デジタルカメラ400を用いる取得方法
デジタルカメラ400を用いる取得方法は、旅行先の観光スポットを、デジタルカメラ400で撮影し、画像情報を取得する方法である。
【００５７】
なお、取得する画像情報は、図７に示すように、写真510,511等の静止画に限定されず、ビデオカメラ等で撮影した動画であっても良い。
取得後、デジタルカメラ400の画像情報を、パーソナルコンピュータ300（ＰＣ）に入力し、インターネット20を介してマップサーバー31に接続し、パーソナルコンピュータ300（ＰＣ）を通じてマップサーバー31に画像情報を送信する。なお、デジタルカメラ400の画像情報をパーソナルコンピュータ300（ＰＣ）に入力したが、携帯電話310,311に入力し、当該携帯電話310,311を通じてマップサーバー31に画像情報を送信するようにしても良い。
（電子アルバム500の作成方法）
つぎに、電子アルバム500の作成方法について、図６を用いて説明する。
【００５８】
電子アルバム500の作成方法は、図６に示すように、大別すると、次の作成方法がある。なお、電子アルバム500の作成方法は、次の（１）〜（２）に限定されない。
（１）携帯電話311を用いる作成方法
携帯電話311を用いる作成方法は、携帯電話311をインターネット20を介してマップサーバー31に接続して行う方法である。
【００５９】
接続後、携帯電話311から個人識別情報及び地図用識別番号を送信し、マップサーバー31から地図情報を取得し、図３及び図４に示すように、携帯電話311のディスプレイ（図示せず）上に地図200を表示させる。
表示後、地図200の地図表示領域210の所定位置に、画像情報をドラッグすることで、図７に示すように、当該所定位置に写真510,511を貼り付けることができる。このとき、携帯電話311からマップサーバー31に、画像情報、及び当該所定位置の座標情報が送信される。
【００６０】
なお、携帯電話311から送信する画像情報は、図７に示すように、写真510,511等の静止画に限定されず、動画であっても良い。
マップサーバー31は画像情報、及び当該所定位置の座標情報を受信すると、画像情報記憶手段120に記憶する。
このため、以降に、携帯電話311からマップサーバー31に個人識別情報及び地図用識別番号が送信されてきた場合には、画像合成手段130により、地図情報の所定位置に画像情報を重ね合わせた合成画像を携帯電話311に送信する。
【００６１】
（２）パーソナルコンピュータ300（ＰＣ）を用いる作成方法
パーソナルコンピュータ300（ＰＣ）を用いる作成方法は、パーソナルコンピュータ300（ＰＣ）をインターネット20を介してマップサーバー31に接続して行う方法である。
画像情報を送信する際には、画像情報をパーソナルコンピュータ300（ＰＣ）に入力した後、インターネット20を介してマップサーバー31に接続する。
【００６２】
なお、パーソナルコンピュータ300（ＰＣ）に入力する画像情報は、図７に示すように、写真510,511等の静止画に限定されず、動画であっても良い。
接続後、パーソナルコンピュータ300（ＰＣ）から個人識別情報及び地図用識別番号を送信し、マップサーバー31から地図情報を取得し、図３及び図４に示すように、ディスプレイ（図示せず）上に地図200を表示させる。
【００６３】
表示後、地図200の地図表示領域210の所定位置に、画像情報をドラッグすることで、図７に示すように、当該所定位置に写真510,511を貼り付けることができる。このとき、パーソナルコンピュータ300（ＰＣ）からマップサーバー31に、画像情報、及び当該所定位置の座標情報が送信される。
マップサーバー31は画像情報、及び当該所定位置の座標情報を受信すると、画像情報記憶手段120に記憶する。
【００６４】
このため、以降に、パーソナルコンピュータ300（ＰＣ）からマップサーバー31に個人識別情報及び地図用識別番号が送信されてきた場合には、画像合成手段130により、地図情報の所定位置に画像情報を重ね合わせた合成画像をパーソナルコンピュータ300（ＰＣ）に送信する。
【図面の簡単な説明】
【００６５】
【図１】地図情報提供システムの概略を説明するための説明図である。
【図２】マップサーバーの構成を説明するための説明図である。
【図３】地図の一例を示す説明図である。
【図４】文字情報等を入力した地図の一例を示す説明図である。
【図５】地図用識別番号の取得方法の一例を説明するための説明図である。
【図６】画像情報の取得方法の一例を説明するための説明図である。
【図７】電子アルバムの一例を示す説明図である。
【符号の説明】
【００６６】
10  地図情報提供システム      20  インターネット
30  マップデータセンター      31  マップサーバー
40  個人用情報機器
50  コンビニエンスストアー    51  情報端末機器
60  コンビニデータセンター    61  地図情報蓄積サーバー
70  観光センター              71  情報端末機器
100  個人識別情報登録手段     110  表示情報送信手段
120  画像情報記憶手段         130  画像合成手段
140  個人情報記憶手段         150  個人情報送信手段
200  地図                     210  地図表示領域
220  文字表示領域             230,231  記号
300  パーソナルコンピュータ（ＰＣ）
310  携帯電話                 311  デジタルカメラ付き携帯電話
320  ポスター（紙媒体）       321  バーコード
330  パンフレット（紙媒体）   331  バーコード（コード情報）
400  デジタルカメラ
500  電子アルバム             510,511  写真
【図１】
2010128678.tif 000003
【図２】
2010128678.tif 000004
【図３】
2010128678.tif 000005
【図４】
2010128678.tif 000006
【図５】
2010128678.tif 000007
【図６】
2010128678.tif 000008
【図７】
2010128678.tif 000009